(57)【要約】      （修正有）【課題】本物の花を用い、且つ墓参りにお墓に供えられた美しい花が、墓参りの後もその状態を保ち、且つ景観や環境に悪影響を与えない墓用花セット具を提供する。【解決手段】容器１内に、生花が乾燥処理又は防腐処理されている花材３と、該花材３を浸漬状態にさせて該容器２外から該花材３が視認できる透明の保存液４と、が入った状態にして、前記容器２の開口をキャップ２９で塞いでなる花材入り密封容器１と、該花材入り密封容器１の底面２２を受部６で受け、且つ該受部６から下方に延在する支え部７が花立て又は墓石の花材を供える穴に挿入されて、該花材入り密封容器１を起立保持する受け支え部材５と、を具備する。【選択図】図１
0003216976.tif 000002
【実用新案登録請求の範囲】
【請求項１】
容器内に、生花が乾燥処理又は防腐処理されている花材と、該花材を浸漬状態にさせて該容器外から該花材が視認できる透明の保存液と、が入った状態にして、前記容器の開口をキャップで塞いでなる花材入り密封容器と、
該花材入り密封容器の底面を受部で受け、且つ該受部から下方に延在する支え部が花立て又は墓石の花材を供える穴に挿入されて、該花材入り密封容器を起立保持する受け支え部材と、を具備することを特徴とする墓用花セット具。
【請求項２】
前記容器が縦長の透明プラスチック製ボトルである請求項１記載の墓用花セット具。
【請求項３】
前記受部の受け面と前記花材入り密封容器の底面とを着脱自在に結合させる粘着テープ片を、さらに具備する請求項１又は２に記載の墓用花セット具。
【請求項４】
環状にして中央孔に前記支え部を通して、該支え部に挿着される弾性発泡体をさらに具備する請求項１乃至３のいずれか１項に記載の墓用花セット具。
【請求項５】
前記支え部が、複数本の軸状材からなり、且つ各軸状材の基端部分を前記受部に固定する一方、先端部分に向けてその途中を水平方向外方に張り出すようにして下方に延在させ、その張り出す部分に弾発力をもたせて、各軸状材を弾性変形させて花立ての筒内壁又は墓石の花材を供える穴の側周壁に係止させるようにした請求項１乃至３のいずれか１項に記載の墓用花セット具。
【考案の詳細な説明】
【技術分野】
【０００１】
本考案は墓石の前に供える花（生花）に代わる墓用花セット具に関する。
【背景技術】
【０００２】
従来、お墓に花立てが在る場合、また墓石に花を供える穴だけの場合も、そこに供える花は、自然の生きた花（生花）が使用されてきた。
しかし、生花は水切りや漂白剤により日持ちさせる工夫しても傷みやすく、限界があった。
こうしたなか、造化等をもちいた発明が提案されている（例えば特許文献１）。
【先行技術文献】
【特許文献】
【０００３】
【特許文献１】特許第５６９５２４７号公報
【考案の開示】
【考案が解決しようとする課題】
【０００４】
しかし、特許文献１に限らず、造化を用いた発明は、これを良しとする人達しか受け入れられない。特許文献１には生花を用いた場合についても記載があるが、該生花は墓参り後に持ち帰る技術内容になっている。
造化に抵抗があり、生花を用いて、墓参り後も長くお墓にその生花を供えておきたい人達にとって、その希望を特許文献１は叶えてくれない。そのようにすると、結局傷みやすく、花が枯れた状態で放置されて景観を悪くする。さらには花立てに溜めた水に蚊等が卵を産むケースもあり、環境悪化させる虞もある。
【０００５】
本考案は上記問題点を解決するもので、本物の花を用い、且つ墓参りにお墓に供えられた美しい花が、墓参りの後もその状態を保ち、且つ景観や環境に悪影響を与えない墓用花セット具を提供することを目的とする。
【課題を解決するための手段】
【０００６】
上記目的を達成すべく、請求項１に記載の考案の要旨は、容器内に、生花が乾燥処理又は防腐処理されている花材と、該花材を浸漬状態にさせて該容器外から該花材が視認できる透明の保存液と、が入った状態にして、前記容器の開口をキャップで塞いでなる花材入り密封容器と、該花材入り密封容器の底面を受部で受け、且つ該受部から下方に延在する支え部が花立て又は墓石の花材を供える穴に挿入されて、該花材入り密封容器を起立保持する受け支え部材と、を具備することを特徴とする墓用花セット具にある。請求項２の考案たる墓用花セット具は、請求項１で、容器が縦長の透明プラスチック製ボトルであることを特徴とする。
請求項３の考案たる墓用花セット具は、請求項１又は２で、受部の受け面と前記花材入り密封容器の底面とを着脱自在に結合させる粘着テープ片を、さらに具備することを特徴とする。請求項４の考案たる墓用花セット具は、請求項１〜３で、環状にして中央孔に前記支え部を通して、該支え部に挿着される弾性発泡体をさらに具備することを特徴とする。請求項５の考案たる墓用花セット具は、請求項１〜３で、支え部が、複数本の軸状材からなり、且つ各軸状材の基端部分を前記受部に固定する一方、先端部分に向けてその途中を水平方向外方に張り出すようにして下方に延在させ、その張り出す部分に弾発力をもたせて、各軸状材を弾性変形させて花立ての筒内壁又は墓石の花材を供える穴の側周壁に係止させるようにしたことを特徴とする。
【考案の効果】
【０００７】
本考案の墓用花セット具は、墓参りにお墓に供えられた美しい花材入り密封容器が受け支え部材によって起立保持され、且つ造化と違って本物の花を用いた花材で花本来の華やかさ,美しさを保ち、さらに保存液と共に密封容器に収まるので、断然長持ちし、また景観や環境に悪影響を与えないなど多大な効を奏する。
【図面の簡単な説明】
【０００８】
【図１】実施形態１の墓用花セット具の説明斜視図である。
【図２】は図１の墓用花セット具の組立品の斜視図である。
【図３】（イ）が図２の墓用花セット具の組立品を花立てに供えた断面図、（ロ）が（イ）に代わる墓用花セット具の組立品を花立てに供えた断面図である。
【図４】図１に代わる別態様の墓用セット具の説明である。
【図５】図４の墓用花セット具の組立品の斜視図である。
【図６】（イ）が図３（ロ）に用いた受け支え部材の縦断面図、（ロ）が他態様の受け支え部材の縦断面図である。
【図７】図６に代わる別態様の受け支え部材の説明斜視図である。
【図８】実施形態２の墓用花セット具の説明斜視図である。
【図９】図８の墓用花セット具の組立品を墓石の花を供える穴に挿着して花材を供えた断面図である。
【考案を実施するための形態】
【０００９】
以下、本考案の墓用花セット具について詳述する。
（１）実施形態１
図１〜図７は本考案の墓用花セット具の一形態で、図１はその斜視図、図２は図１の墓用花セット具の組立品の斜視図、図３は（イ）が図２の墓用花セット具の組立品を花立てに備え付けた断面図、（ロ）が（イ）に代わる墓用花セット具の組立品を花立てに備え付けた断面図、図４は図１に代わる別態様の墓用セット具の斜視図、図５は図４の墓用花セット具の組立品の斜視図、図６は（イ）が図３（ロ）に用いた受け支え部材の断面図、（ロ）が他態様の受け支え部材の断面図、図７は別態様の受け支え部材の斜視図を示す。尚、各図は図面を判り易くするため発明要部を強調図示し、また本発明と直接関係しない部分を簡略化又は省略する。
【００１０】
墓用花セット具は、花材入り密封容器１と受け支え部材５と粘着テープ片９とを具備する（図１〜図７）。ここでは、図２のようなお墓Ｓの花立て８に供える墓用花セット具とする。花立て８には、図２の墓石Ｓに挿着される上面開口８０の有底円筒部８１に加え、墓石Ｓとの当接外鍔部８２と外方突出部８３の両方あるもの、また図３(イ),(ロ)のごとく墓石Ｓとの当接外鍔部８２の片方だけのもの等があるが、本墓用花セット具はいずれの花立て８にも適用できる。
花材入り密封容器１は、容器２と花材３と保存液４とキャップ２９と受け支え部材５とを具備する。
【００１１】
容器２は開口２０を有する透明の器である。ガラス瓶等のビンでもよいが、本実施形態の容器２は図１ごとくの透明のプラスチック製ボトルとする。落した時に割れることがなく、また軽くて取り扱い易くなっている。透明は無色透明に限定されず、有色であっても容器２外から容器側周面２１を介して容器２内に入れた花材３を視認できれば足りる。容器２はその形状を問わないが、ペットボトルのように縦長形状とし、容器２内に入る花材３を上下方向にいくつも配設可能にして、花材３による華やかさを演出できるのがより好ましい。ここで、本発明でいう「上方向」とは、図３の花立て８に支え部７が挿入された花材入り密封容器１でいえば、紙面上方向を指し、「下方向」は紙面下方向を指す。
【００１２】
花材３は生花３１を乾燥処理又は防腐処理をしているドライフラワー又はプリザーブドフラワーである。公知のドライフラワー用乾燥材を用いれば、生花３１本来の色を残すことができる。ドライフラワー又はプリザーブドフラワーの花材３といっても本物の花を使用しているので、生きた花と比べても遜色のない華やかさ、輝きを醸し出す。そして、該花材３を保存液４に浸漬させて花材入り密封容器１とすることで、生花そのものよりも保存がきき長持ちする。墓用花セット具の花材３として打ってつけとなっている。
尚、各図の花材３は、花３１、葉３３、及び茎３２を図示したが、花３１の部分だけを容器２に詰めたものであってもよい。花材３の花３１には輪菊等の菊科の花やカーネーションなどがあるが、その種類を問わない。
【００１３】
保存液４は、花材３と共に容器２に入れ、該花材３を浸漬状態にさせて保存し、容器２外から該花材３が視認できる透明の液体である。具体的にはシリコーンオイルや流動パラフィンである。サラダ油やオリーブオイル等であってもよい。シリコーンオイルは化学的に安定し且つ白濁し難いなど保存液４に好適とされる。保存液４の透明も、容器２の透明と同様、無色透明に限定されない。有色であっても容器２内に入れた花材３を容器２外から視認できれば足りる。
【００１４】
キャップ２９は、容器２内に花材３と保存液４が入った状態にして、容器開口２０を塞いで容器２を密封する蓋体である。本実施形態は、容器２が透明プラスチック製ボトルで、その首丈部分２３の先端に開口２０が設けられ、首丈部分２３に設けたネックリングにキャップ２９の内面に設けた溝を螺合させて該開口２０を塞いで容器２を密封できるようにしている。
【００１５】
容器２、花材３、保存液４、及びキャップ２９は別体にして墓用花セット具としてもよいが、容器２内に花材３と保存液４が入った状態にして、キャップ２９で開口２０を塞いで花材入り密封容器１としてひとまとめにする。扱い易く、使い勝手が良い。花材入り密封容器１が墓用花セット具の第一必須構成具になる。花材３を液浸させたいわゆるハーバリウム製品になっている。
【００１６】
受け支え部材５は受部６と支え部７とを具備する。花材入り密封容器１が墓用花セット具の第二必須構成具である。受部６は容器２の底面２２を受ける平坦な受け面６１１を備える部分である。図１,図２の受部６は円板形の受け面部６１と該受け面部６１の下面中央から下方に延在したパイプ状筒部６２との一体品になっている。筒部６２は相手部品たる支え部７との接続固定用に用いられる。
支え部７は軸状部分で、受け支え部材５に係る受部６から下方に延在する該支え部７が花立て８に挿入されて、受部６が花材入り密封容器１を起立保持する。
支え部７は受部６と別体で両者を組み付けて受け支え部材５にしてもよいが、例えば図１,図３(イ)で、受部６の筒部６２を支え部７に装着し且つ両者を接着剤等により一体化した第二必須構成具の受け支え部材５とすることもできる。本実施形態も受部６とパイプからなる支え部７とを接着固定し、両者を一体化している。
【００１７】
前記受部６は、図１,図３(イ)のような筒部６２を設けず、単純な円板形の受け面部６１だけにして、該受部６の下面中央に軸状支え部７の上端を結合一体化した図３(ロ),図６(イ)ごとくの受け支え部７とすることができる。図６(イ)は受部６と中実の支え部７との一体樹脂成形された受け支え部材５を示す。さらに、受部６は図(ロ)のように円筒軸状の支え部７の上端面を、受部６が覆って該支え部７に固着した受け支え部材５とすることもできる。
また受部６は、図４,図５のような平坦な円板形の受け面部６１の周縁沿いに垂直上方に短筒部分６３を突出させることもできる。短筒部分６３があると、花材入り密封容器１の底面２２近くの側周面に当接させて、花材入り密封容器１の起立維持をサポートでき、より好ましくなる。
【００１８】
前記支え部７は、また図７のように複数本の軸状材７４からなり、且つ各軸状材７４の基端部分を前記受部６に固定する一方、先端部分に向けてその途中を水平方向外方に張り出すようにして下方に延在させることもできる。そして、下方（下方向）に延在させた軸状材７４の張り出す部分に弾発力をもたせて、各軸状材７４を弾性変形させて花立て８の筒内壁８１２（または、後述する実施形態２では墓石Ｓの花材を供える穴Ｓ０の側周壁）に係止させる受け支え部材５とする。斯かる構成によって、花材入り密封容器１をより安定して起立保持でき、より好ましくなる。
【００１９】
粘着テープ片９は、前記受部６の受け面６１１と前記花材入り密封容器１の底面２２とを着脱自在に粘着固定させる粘着剤９２が塗布された圧着テープ片である。粘着テープ片９をなしにして、前記受け支え部材５の受け面６１１上に花材入り密封容器１を直接置いて、花材入り密封容器１を受け支え部材５で起立保持させることもできる。しかし、強風等の外力によって花材入り密封容器１が転倒する虞がある。受部６の受け面６１１と前記花材入り密封容器１の底面２２との間に粘着テープ片９を介在させることで、受け面６１１上に花材入り密封容器１を安定させて起立保持できる。
本実施形態の粘着テープ片９は、図１に示すような両面テープで、容器底面２２よりも若干小さめの円形とする。基材テープ片９１の両面に粘着剤９２が塗布され、両粘着剤９２を離型紙９３が覆っている。基材テープ片９１や離型紙９３の材料は紙,合成樹脂シート等があり、離型紙９３は紙に限らない。粘着テープ片９を受部６と花材入り密封容器１との粘着固定に用いる場合は、離型紙９３を図１の鎖線図示のように剥がして、一方の粘着剤９２の面を花材入り密封容器１の底面２２に密着させ、また他方の粘着剤９２の面を受部６の受け面６１１に密着させる。該粘着テープ片９が図３(イ)のごとく容器２と受部６との間に介在し、花立て８に支え部７を挿入した花材入り密封容器１が安定起立保持される。
【００２０】
ここで、花立て８に支え部７を挿入した受け支え部材５上の花材入り密封容器１が安定起立保持されるよう、例えば図３(ロ)のごとく、中央孔７５０を有して環状にした軟質ポリウレタン等の軟質のプラスチックフォームからなる弾性発泡体７５を具備するとさらに好ましくなる。弾性発泡体７５の外径を筒内壁８１２の内径より大にして、筒内壁８１２へ弾性発泡体７５を圧縮状態で挿入し、その弾性復元力で、花立て８の筒内壁８１２（または、後述する実施形態２では墓石Ｓの花材を供える穴Ｓ０の側周壁）に押圧し、花材入り密封容器１の起立状態を安定確保できるからである。弾性発泡体７５は、環状にしてその中央孔７５０に図１の支え部７を通し、該支え部７に挿着されるようにして用いる。図３(ロ)中、符号７２は支え部７の側周面から突出する小突起を示す。支え部７に挿着された弾性発泡体７５が不用意に受部６側に近寄りすぎて、花材入り密封容器１の起立状態を安定確保できなくなるのを防ぐためである。
尚、本実施形態の墓用花セット具は、花材入り密封容器１と受け支え部材５と粘着テープ片９を別体構成とするが、これらを一体化させた図３の墓用花セット具も本考案の製品とみなす。
【００２１】
（２）実施形態２
本実施形態は、図８,図９のごとく、花材入り密封容器１と、この底面２２を受部６で受け且つ該受部６から下方に延在する支え部７が墓石Ｓの花材を供える穴Ｓ０に挿入されて、該花材入り密封容器１を起立保持する受け支え部材５と、を具備する墓用花セット具である。花材入り密封容器１と受け支え部材５は図１,図２に示したもので、その説明を省く。図８の花材入り密封容器１は前記粘着テープ片９を介在させて受け支え部材５と着脱自在に一体化させて、図２と同じく、受け支え部材５付き花材入り密封容器１になっている。
【００２２】
お墓Ｓに花立て８がなく、図８のごとく墓石Ｓの花材を供える穴Ｓ０だけの場合がある。斯かる墓石Ｓの花材を供える穴Ｓ０に適用する場合、該穴Ｓ０へ受け支え部材５の支え部７を挿入し、受け支え部材５の受部６で花材入り密封容器１を起立保持させる (図９）。受け面部６１の平坦な下面側が墓石Ｓの花材を供える穴周りの墓石面に図９のように載って、受け支え部材５付き花材入り密封容器１に係る該花材入り密封容器１が起立保持される構成とする。図８中、符号Ｓ１は竿石、符号Ｓ２は上台、符号Ｓ３は水鉢を示す。
他の構成は実施形態１と同様で、その説明を省く。実施形態１と同一符号は同一又は相当部分を示す。
【００２３】
（３）効果
このように構成した墓用花セット具は、容器開口２０から容器２内に、生花３１が乾燥処理又は防腐処理されている花材３と、該花材３を浸漬状態にさせて該容器２外から該花材３が視認できる透明の保存液４と、が入った状態の前記開口２０を、キャップ２９で塞いでいるので、生花と違って花材３を断然日持ちさせることができる。
墓参りの後、そのままお墓Ｓに置いて帰っても、生花３１のように数日のうちに傷んで景観を悪くしたり、花立て８に溜めた水に蚊等が卵を産んで環境悪化させたりするといった不具合がない。生花に代えて前記花材３にし、花立て８に溜める水に代えて保存液４にして、これらを容器２内に入れて密封することで、花材３が生花に比べて格段に長持ちする。そして、花材３,保存液４が容器２内に入れられて密封されると、これらが容器２に守られ外気と遮断されるので、生花３１が枯れて墓周りに散乱して環境悪化させることがなく、蚊等が卵を産んで環境悪化させることもなくなる。
【００２４】
また、お墓Ｓの花材を供える穴Ｓ０や花立て８に受け支え部材５を挿入して、墓用花セット具をそのままにして帰ることが可能になり、いつまでもお墓Ｓに美しい花材３をお供えして華やかさを保つ。生花を乾燥処理又は防腐処理をしている花材３は花本来の色が残って綺麗な美しさが保たれている。花材３の花３１は造化と違って、本物の花であり、生きた花と比べても見劣りせず、生花のような美しさを提供する。生花を用いて、墓参り後も永くお墓Ｓにその生花を供えておきたい人達にとって、極めて重宝な墓用花セット具になる。
【００２５】
また、容器２が縦長であると、容器２の上下方向にいくつもの花材３を保存液４内に浸漬させることができるので、墓用花セット具を豪華にできる。容器２が透明プラスチック製ボトルであると、軽量にして、ガラス製と違って割れることがなく扱い易くなる。
【００２６】
受部６の受け面６１１と花材入り密封容器１の底面２２とを着脱自在に結合させる粘着テープ片９をさらに具備すると、該粘着テープ片９を受部６と花材入り密封容器１との間に介在させて粘着結合させることにより両者が一体化するので、お墓Ｓの花材を供える穴Ｓ０や花立て８に挿入した受け支え部材５上に、花材入り密封容器１を起立維持させ易くなる。粘着テープ片９がないと、お墓Ｓの花材を供える穴Ｓ０や花立て８に受け支え部材５を挿入して、受け面６１１上に花材入り密封容器１を起立保持させても、強風等が吹いた時には花材入り密封容器１が倒れる虞がある。粘着テープ片９があると、受け支え部材５の受部６と花材入り密封容器１との間に介在させて受け支え部材５と花材入り密封容器１との一体化が図れ、強風等の外力が加わっても花材入り密封容器１が倒れなくなる。お墓Ｓの花材を供える穴Ｓ０や花立て８に受け支え部材５を挿入して、墓用花セット具を長期に亘って飾った状態に保つことができる。
【００２７】
加えて、花材入り密封容器１と受け支え部材５と粘着テープ片９とを別体にした墓用花セット具であると、墓参りへの持ち運びが楽で、且つお墓に到着後、簡単に組立て、花材入り密封容器１と受け支え部材５とを一体化できる。また、粘着テープ片９であることから着脱自在で、故人が好きだった花や四季に応じた花材入り密封容器１に適宜取り替えることも容易になる。
【００２８】
また、環状にしてその中央孔７５０に支え部７を通して、該支え部７に挿着される弾性発泡体７５をさらに具備すると、図３(ロ)のように該弾性発泡体７５を花立て８の筒内壁８１２に弾性復元力で押圧させて支え部７の支え本体７１を起立姿勢に保つので、受け支え部材５に載る花材入り密封容器１を安定起立維持できる。
【００２９】
さらに、支え部７が、複数本の軸状材７４からなり、且つ各軸状材７４の基端部分を受部６に固定する一方、先端部分に向けてその途中を水平方向外方に張り出すようにして下方に延在させ、その張り出す部分に弾発力をもたせて、各軸状材７４を弾性変形させて花立て８の筒内壁８１２又は墓石Ｓの花材を供える穴Ｓ０の側周壁に係止させるようにすると、前記弾性発泡体７５と同じく、受け支え部材５に載る花材入り密封容器１を安定起立維持できる。各軸状材７４を弾性変形させて花立て８の筒内壁８１２又は墓石Ｓの花材を供える穴Ｓ０の側周壁に係止させるようにすると、各軸状部材が弾性復元力で花立て８の筒内壁８１２又は墓石Ｓの花材を供える穴Ｓ０の側周壁に押圧,係止するので、支え部７の起立姿勢が保たれ、これが花材入り密封容器１を安定起立させることになる。
このように、本墓用花セット具は上述した数々の優れた効果を発揮し、極めて有益である。
【００３０】
尚、本考案においては前記実施形態に示すものに限られず、目的,用途に応じて本考案の範囲で種々変更できる。花材入り密封容器１,容器２,花材３,花３１,受け支え部材５,受部６,支え部７,花立て８,粘着テープ片９等の形状,大きさ,個数,材質等は用途に合わせて適宜選択できる。
【符号の説明】
【００３１】
１            花材入り密封容器
２            容器
２０          開口
２２          底面
２９          キャップ
３            花材
４            保存液
５            受け支え部材
６            受部
７            支え部
７４          軸状材
７５          弾性発泡体
８            花立て
９            粘着テープ片
Ｓ            お墓（墓石）
Ｓ０          墓石の花を供える穴
【図１】
0003216976.tif 000003
【図２】
0003216976.tif 000004
【図３】
0003216976.tif 000005
【図４】
0003216976.tif 000006
【図５】
0003216976.tif 000007
【図６】
0003216976.tif 000008
【図７】
0003216976.tif 000009
【図８】
0003216976.tif 000010
【図９】
0003216976.tif 000011